(57)【要約】  【課題】  モップを使用して清掃時に家具を損傷することなく、製造コストが低く、且つ、取り付けが容易で清掃部品の組立・交換も容易であるモップを提供する。  【解決手段】  モップの握り棒３ａの中に設けた水絞りモップの連接機構で、該連接機構の下端は清掃部品１ａを連接することができて、更に、Ｕ字形棒４ａと連接した連接棒５ａ及び該連接棒５ａの下端に枢設した連接部品６を含む構成によって組立が便利で、清掃部品１ａの交換も容易で、家具を傷つけない効果を達成する。【選択図】図１
0003112341.tif 000002
【実用新案登録請求の範囲】
【請求項１】
モップの握り棒の中に設けられていて、その下端部は清掃部品を連設することができ、更に、Ｕ字形棒と連設した連接棒及び該連接棒の下端に枢着した連接部品を有する水絞り機構付モップであって、前記連接棒の上端はＵ字形棒に枢着されており、その下端は握り棒の中の下端部に配設され、
前記連接部品は、枢接部、延長部及び定位部からなり、該枢接部は連接棒の下端に枢接されており、該定位部は清掃部品を固定することができるように構成されたことを特徴とする水絞り機構付モップ。
【請求項２】
上記該連接部品の延長部は長形の貫通孔が設けられていることを特徴とする請求項１記載の水絞り機構付モップ。
【請求項３】
上記該連接部品の定位部はＴ字形の凹槽が構成されていることを特徴とする請求項１記載の水絞り機構付モップ。
【請求項４】
上記該連接部品の定位部は凹槽があって、該凹槽の側壁には数個の貫通孔が設けられており、該貫通孔に固定部品を配合して清掃部品を固定することができるように構成されたことを特徴とした請求項１記載の水絞り機構付モップ。
【請求項５】
上記該連接部品の定位部は逆Ｔ字形の凸上がりが形成されていることを特徴とする請求項１記載の水絞り機構付モップ。
【請求項６】
上記該連接部品の定位部は凸上がりがあって、該凸上がりの側壁には数個の貫通孔が設けられており、該貫通孔に固定部品と配合して清掃部品を固定することができるように構成されたことを特徴とする請求項１記載の水絞り機構付モップ。
【考案の詳細な説明】
【技術分野】
【０００１】
本考案は水絞り機構付モップに関するものであり、特に、清掃部品に水絞り部品を連接して水切り操作を可能にした水絞り機構付モップに関するものである。
【背景技術】
【０００２】
従来の此種水絞り機構付モップを図１２及び図１３に従って説明する。図において従来の水絞りモップは、清掃部品１と挟みヘッド２と、握り棒３と、Ｕ字形棒４と、二本の連接棒５と、二つの棒体５６及び数個の水絞り部品５７を含む：
上記清掃部品１はベース板１１及びその下に設けた綿体１２から成り、床面を拭くのに用いられる。
【０００３】
又、上記挟みヘッド２は清掃部品１の上側に跨設されていて、ややＵ字形に形成され、そして、その頂部には貫通孔２１が設けられている。更に、その両側には夫々逆Ｕ字形の凹部が形成されて前後側に各別に左右の棒アーム２３，２４が設けられている。該左右の棒アーム２３，２４の下端部には各別に貫通孔２５，２６が開穿されており、その間に前記凹部から成る開口２７が形成されている。
【０００４】
又、上記握り棒３はその下端部を上記挟みヘッド２の頂部の貫通孔２１に嵌着されていて手で握持できるように構成されている。
【０００５】
更に、上記Ｕ字形棒４は、その上端は握り棒３の中段の個所に枢着され、そして、その末端に手握り４１が形成され、該手握り４１を握持して前記枢着部を介して上下動可能に形成されている。
【０００６】
又、上記連接棒５は、対称的に前記握り棒３の両外側に設けられており、そして、その上端はＵ字形棒４の上端部に枢着されている。更に、その下端は前記挟みヘッド２の左右の開口２２を通し抜けて清掃部品１のベース板１１の上に固設されてＵ字形棒４を上方へ回動させることにより、清掃部品１を上方へ移動させることができるように構成されている。
【０００７】
又、前記棒体５６は、個別に対称的に挟みヘッド２の前後側の左右の棒アーム２３，２４に設けた貫通孔２５，２６に固設されている
更に又、上記水絞り部品５７は、個別に対称的に左右棒アーム２３，２４の間に設けられている前記棒体５６，５８に設けていて、所定のすき間を形成し、綿体１２が該すき間の中に進入した時には該水絞り部品５７が転動して綿体１２を押圧し、綿体１２の水切りができるように構成されている。
【０００８】
そこで、該綿体１２の水分を絞り出す必要がある時には、片手で握り棒３を握り、別の手で該Ｕ字形棒４の握り４１を上に向けて回動させる。然るときは、前記連接棒５がベース板１１を上方へ移動させる綿体１２を引き上げる。このとき、綿体１２は水絞り部品５７のすき間を通過する。然るに、該すき間は固定されており、且つ、該綿体１２の厚さが該すき間よりも大であるので、該綿体１２は水絞り部品５７の押圧力を受けて綿体１２中の水分が圧出される。押圧動作を完了した後は、連接棒５は元の位置に復帰し、綿体１２も元の位置に復帰する。更に、上記Ｕ字形棒４の回動動作を反復することによって該綿体１２の水絞り動作を完了することができる。
【０００９】
従来のモップは操作が便利であるので、多くの家庭に採用されている。しかし、やはり下記のような欠点が存在している。
(1)  前記二本の連接棒５は外側に露出しているので、家具を傷つけ易い。
(2)  前記二本の連接棒５の組立は非常に時間がかかり、尚且つ、若しもその中の一本の連接棒５が外力を受けて変形した場合は使用ができなくなる。
(3)  清掃部品の組立及び交換が不便である。
【００１０】
又、鳥居形フレームと、この鳥居形フレームの脚部下端にハンドルによって回転し固定可能に取り付けられた拭き紐束支持ローラーと、上記拭き紐束支持ローラーに向けて付勢され接離及び回転可能に鳥居形フレームの脚部に取り付けられた絞りローラーと、上記拭き紐束支持ローラーを回転させるためのハンドルを固定するクランプとからなるモップも知られている。（例えば、特許文献１参照）
この特許文献１に記載されたモップ組立及び部品交換に難点があり、且つ、ハンドル及びネジ軸、ボス、ナット、ヨークの突き出し部等が柄から外側へ大きく突出しているので、家具等を傷つけ易い。
【特許文献１】特開２０００−１２６１０６号
【考案の開示】
【考案が解決しようとする課題】
【００１１】
上記従来例はモップの水切操作に便利を付与するのであるが、前述したように家具を傷つけ易く、且つ、部品組立に時間を要し、部品の組立と交換に不便を来すと云う欠陥がある。そこで、家具を傷つけないものであって、且つ、部品の組立及び交換が容易であるところの水絞り機構付けのモップを提供するために解決せられるべき技術的課題が生じてくるのであり、本考案は該課題を解決することを目的とする。
【課題を解決するための手段】
【００１２】
本考案は上記目的を達成するために提案されたものであり、モップの握り棒の中に設けられていて、その下端部は清掃部品を連設することができ、更に、Ｕ字形棒と連設した連接棒及び該連接棒の下端に枢着した連接部品を有する水絞り機構付モップであって、前記連接棒の上端はＵ字形棒に枢着されており、その下端は握り棒の中の下端部に配設され、前記連接部品は、枢接部、延長部及び定位部からなり、該枢接部は連接棒の下端に枢接されており、該定位部は清掃部品を固定することができるように構成された水絞り機構付モップ、及び、上記該連接部品の延長部は長形の貫通孔が設けられている水絞り機構付モップ、及び上記該連接部品の定位部はＴ字形の凹槽が構成されている水絞り機構付モップ、及び、該連接部品の定位部は凹槽があって、該凹槽の側壁には数個の貫通孔が設けられており、該貫通孔に固定部品を配合して清掃部品を固定することができるように構成された水絞り機構付モップ、及び、上記該連接部品の定位部は逆Ｔ字形の凸上がりが形成されている水絞り機構付モップ、並びに、上記該連接部品の定位部は凸上がりがあって、該凸上がりの側壁には数個の貫通孔が設けられており、該貫通孔に固定部品と配合して清掃部品を固定することができるように構成された水絞り機構付モップを提供するものである。
【考案の効果】
【００１３】
本考案の水絞り機構付モップは製造コストが低くて、且つ、取り付けが便利であり、家具の傷損を低減することができ、組立、清掃部品の交換が非常に便利である等の効果を奏することができる。
【考案を実施するための最良の形態】
【００１４】
本考案は家具を容易に傷つけることなく、且つ、部品の組立及び交換を容易にすると云う目的を、モップの握り棒の中に設けられていて、その下端部は清掃部品を連設することができ、更に、Ｕ字形棒と連設した連接棒及び該連接棒の下端に枢着した連接部品を有する水絞り機構付モップであって、前記連接棒の上端はＵ字形棒に枢着されており、その下端は握り棒の中の下端部に配設され、前記連接部品は、枢接部、延長部及び定位部からなり、該枢接部は連接棒の下端に枢接されており、該定位部は清掃部品を固定することができるように構成されたことを特徴とする水絞り機構付モップを提供することにより実現した。
【実施例】
【００１５】
以下、本考案の好適な実施例を図１乃至図１１に従って詳述する。図１乃至図５図に於いて本考案の水絞りモップは下記のものを含む。清掃部品１ａを有し、該清掃部品１ａは棒状に形成されたベース板１１ａと該ベース板１１ａの下面に固設された綿体１２から成る。
【００１６】
又、挟みヘッド２ａを有し、該挟みヘッド２ａは清掃部品１ａの上側に跨がって設けており、その頂部は貫通孔２１が設けており、更に、その下端の前後側には左右の棒アーム２３，２４があって、該左右の棒アーム２３，２４には個別に貫通孔が設けられている。そして、その間に開口２７が形成されている。又、握り棒３ａは挟みヘッド２ａの頂部の貫通孔２１の中に固設されていて、その下方部に長形孔３１が設けている。又、Ｕ字形棒４ａはその上端は握り棒３ａの中段の所に枢着されており、その末端には手握り４１ａが設けられている：及び連接棒５ａはその上端部はＵ字形棒４ａの上端部に枢着されていて、その下端は握り棒３ａの中の下端部に配設されている。及び、連接部６はその上端が連接棒５ａの下端に枢設している。その下端は清掃部品１ａを連設する。及び、二つの棒体５６は対称的に挟みヘッド２ａの前後側の左右の棒アーム２３，２４の貫通孔に固設されている。及び、数個から成る水絞り部品５７は個別に対称的に左右の棒アーム２３，２４の間の棒体５６に設けられていて、綿体１２ａを押圧できるように構成される。
【００１７】
而して、前記綿体１２ａに浸潤している水分を絞る必要がある時には、片手で握り棒３ａを握り、他の手を上に向けて手握り４１ａを引き動かす。然るときは、連接棒５ａが連接部品６を引き上げ乍ら綿体１２ａを同時に上に向かって移動させる。これによって該綿体内の水分を絞り出すことができる。
【００１８】
本考案の特徴の一つは、連接棒５ａは握り棒３ａの中に隠されていて、並びにその下端によって連接部品６を枢設する。本考案の他の特徴は、連接部品６は下端の定位部によって清掃部品１ａを固定する。これで清掃部品１ａの組立・交換は更に容易になる。
【００１９】
図４、図５に示す如く、連接部品６は、枢接部６１、延長部６３及び定位部６５で組成し、その中の延長部６３には長孔６４が設けている。固定部品３２（例えば、リベット、ネジボルト等）は、該孔６４を貫通して握り棒３ａを挟みヘッド２ａに固設し、並びに該連接部品６は円滑に上下に移動させることができる。この時の連接部品６の孔６４は、レールガイドの機能があって、且つ、握り棒３ａの中に隠れているので家具等に傷損を与えることはない。
【００２０】
図６に示したように、連接部品６ａは枢接部６１、延長部６３ａ及び定位部６５で組成し、該握り棒３ａは左右の短いネジ３３で挟みヘッド２ａに固定しているので、連接部品６ａは円滑に上下に移動することができる。
【００２１】
図１〜図６と図１２〜図１３とを比較して理解できるように、従来のモップの連接棒５の構造は複雑で且つ、取り付けの順序も面倒である。更に、その清掃部品１の組立・交換も非常に不便である。本考案の連接棒５ａの構造は簡単で、且つ、取り付けも容易であり、従って、該清掃部品１ａの組立・交換も容易に実行できる。
【００２２】
又、図７に示す該定位部６５ａは、Ｔ字形の凹槽６６ａが設けられている。該凹槽６６ａはＴ字形の凸上げ１３ａの清掃部品１ａを固定することができる。成形の便利さ及び製品が変形しないために、凹槽６６ａの中は弧形槽６５１を設けることができる。定位部６５ａは、多数の肋條６５２を設けて強度を増大させることができる。この外、定位部６５ａの両側の中段は、二つの溝槽６５３を設けることができる。該二つの溝槽６５３の間の小塊６５４の内側は凸上げ（図示せず）が設けられている。これをＴ字形の凸上げ１３ａの凹槽（図示せず）に合わし、これによって正確な定位を完成することができる。
【００２３】
図８に示すように、該定位部６５ｂのＴ字形凹槽６６ｂは、Ｔ字形の頂部１３ｂを設けている清掃部品１ｂを固定することができる。
【００２４】
図９に示すように、該定位部６５ｃには逆Ｔ字形凸上げ６６ｃが設けられている。該凸上げ６６ｃは逆Ｔ字形凹槽１３ｃを設けている清掃部品１ｃを固定することができる。
【００２５】
図１０に示すように、該定位部６５ｄには凹槽６６ｄが設けられていて、該凹槽６６ｄの側壁には数個の貫通孔６７があって、固定部品６８にて清掃部品１ｄを固定することができる。
【００２６】
図１１に示すように、該定位部６５ｅは凸上げ６６ｃが設けられている。該凸上げ６６ｃの側壁には数個の貫通孔６９があって、固定部品７０にて清掃部品１ｅを固定することができる。
【００２７】
図１０及び図１１に示す固定部品６８，７０はネジ、ボルト及びピン等でもよい。
【００２８】
尚、本考案は、本考案の精神を逸脱しない限り種々の改変を為すことができ、そして、本考案が該改変されたものに及ぶことは当然である。
【図面の簡単な説明】
【００２９】
【図１】本考案の一実施例を示し、モップの正面図。
【図２】図１の側面図。
【図３】本考案の水を絞った時の側面図。
【図４】図１の中のＡ部分の連接関係を示す拡大断面図。
【図５】図４の中の連接部品を最高点に引いた時の連接関係を示す拡大断面図。
【図６】他の実施例の連接部品を使用した時の、図４に対応した位置の連接関係を示す拡大断面図。
【図７】連接部品の定位部の変化の実施を示す斜視図。
【図８】連接部品の定位部の変化の実施を示す斜視図。
【図９】連接部品の定位部の変化の実施を示す斜視図。
【図１０】連接部品の定位部の変化の実施を示す斜視図。
【図１１】連接部品の定位部の変化の実施を示す斜視図。
【図１２】従来のモップの正面図。
【図１３】従来のモップの側面図。
【符号の説明】
【００３０】
１，１ａ，１ｂ，１ｃ，１ｄ，１ｅ    清掃部品
２，２ａ        挟みヘッド
３，３ａ        握り棒
４，４ａ        Ｕ字形棒
５，５ａ        連接棒
６，６ａ        連接部品
１１，１１ａ      ベース板
１２，１２ａ      綿体
１３ａ            Ｔ字形凸上げ
１３ｂ            Ｔ字形頂部
１３ｃ            Ｔ字形凹槽
２１              貫通孔
２２，２７        開口
２３              左棒アーム
２４              右棒アーム
２５，２６        貫通孔
３１              長形孔
３２，６８，７０  固定部品
３３              左右短いネジ
４１，４１ａ      手握り
５６              棒体
５７              水絞り部品
６１              枢接部
６３，６３ａ      延長部
６４              孔
６５，６５ａ，６５ｂ，６５ｃ，６５ｄ，６５ｅ    定位部
６６ａ，６６ｂ    Ｔ字形凹槽
６６ｃ            逆Ｔ字形凸上げ
６６ｄ            凹槽
６６ｅ            凸上げ
６７，６９        貫通孔
６５１            弧形槽
６５２            肋條
６５３            溝槽
６５４            小塊
【図１】
0003112341.tif 000003
【図２】
0003112341.tif 000004
【図３】
0003112341.tif 000005
【図４】
0003112341.tif 000006
【図５】
0003112341.tif 000007
【図６】
0003112341.tif 000008
【図７】
0003112341.tif 000009
【図８】
0003112341.tif 000010
【図９】
0003112341.tif 000011
【図１０】
0003112341.tif 000012
【図１１】
0003112341.tif 000013
【図１２】
0003112341.tif 000014
【図１３】
0003112341.tif 000015